(57)【要約】【課題】ローラの交換を容易に行うことを可能にする。【解決手段】プリンタ１は、用紙が収容される給紙カセット１０を有している。給紙カセット１０には、リタードローラ３１と、リタードローラ３１を支持する軸部材３８と、リタードローラ３１を軸部材３８から抜く方向Ｃに付勢する付勢機構７０と、シュート３２とが設けられている。シュート３２は、リタードローラ３１をセット位置に位置付ける位置付け位置とリタードローラ３１のセット位置での位置付けを解除する解除位置との間において移動可能に構成されている。そして、リタードローラ３１は、シュート３２が位置付け位置から解除位置に移動すると、付勢機構７０によって軸部材３８から抜かれた交換位置に移動する。【選択図】図４
2012071918.tif 000002
【特許請求の範囲】
【請求項１】
記録媒体を搬送するローラと、
前記ローラを当該ローラの軸方向に沿ってスライド可能に支持する軸部材と、
前記ローラを前記軸部材から一端部を通して抜く方向に付勢する付勢手段と、
前記付勢手段による付勢に抗して前記ローラをセット位置に位置付ける第１位置と、前記ローラの前記セット位置への位置付けを解除する第２位置との間において移動可能な位置付け部材とを備えており、
前記ローラは、前記位置付け部材が前記第１位置から前記第２位置に移動すると、前記付勢手段によって、前記セット位置から前記軸部材の前記一端部に向けてスライドすることを特徴とする記録装置。
【請求項２】
前記付勢手段は、前記ローラの前記抜く方向の逆を向いた側面と当接する当接部材と、前記当接部材に接続されて前記当接部材を介して前記ローラを前記抜く方向に付勢する弾性部材とを有していることを特徴とする請求項１に記載の記録装置。
【請求項３】
前記ローラは、前記軸部材が挿入可能な円筒状のスリーブと、前記スリーブの外周面を覆う被覆部材とを有しており、
前記当接部材は、前記ローラが前記軸部材から抜かれた交換位置に配置されたときにだけ前記スリーブの前記軸方向の両端を支持可能な支持部を有するホルダであることを特徴とする請求項２に記載の記録装置。
【請求項４】
前記ホルダを支持する支持部材をさらに備えており、
前記ホルダと前記支持部材には、互いに連結されつつ前記ホルダが前記軸方向に沿ってスライド可能なスライド部が形成されていることを特徴とする請求項３に記載の記録装置。
【請求項５】
前記位置付け部材には、前記位置付け部材を前記第２位置に移動したときに前記交換位置にある前記ローラを支持する前記ホルダと係合することによって、自身を前記第２位置に保持する係合部が形成されていることを特徴とする請求項３又は４に記載の記録装置。
【請求項６】
前記位置付け部材は、記録媒体の搬送をガイドするガイド部材であることを特徴とする請求項１〜５のいずれか１項に記載の記録装置。
【請求項７】
前記軸部材の前記一端部には、先細り形状となるようにテーパが形成されていることを特徴とする請求項１〜６のいずれか１項に記載の記録装置。
【請求項８】
前記ローラが、前記記録媒体を収容する収容部を備えた給紙カセットに設けられ、前記収容部から搬送されてきた前記記録媒体を前記収容部の方向に戻すリタードローラであることを特徴とする請求項１〜７のいずれか１項に記載の記録装置。
【発明の詳細な説明】
【技術分野】
【０００１】
本発明は、記録媒体に画像を記録する記録装置に関する。
【背景技術】
【０００２】
特許文献１には、用紙ガイドの用途とリタードローラ軸を保持する用途とを兼ねたガイドアームが配設されたリタードユニットを有する給紙装置について記載されている。この給紙装置において、リタードユニットのガイドアームには、リタードローラ、これを支持するリタードローラ軸、及び、着脱可能なカバーが設けられている。そして、カバーを取り外し、リタードローラをカバー側にスライドさせることによってリタードローラをリタードローラ軸から交換することが可能になる。
【先行技術文献】
【特許文献】
【０００３】
【特許文献１】特開２００３−２０１０４５号公報
【発明の概要】
【発明が解決しようとする課題】
【０００４】
しかしながら、上記特許文献１に記載の給紙装置において、リタードローラを交換する際は、ユーザが、カバーを取り外してもリタードローラはリタードローラ軸の所定位置に配置されたままである。リタードローラをリタードローラ軸から抜き取るためには、カバーを取り外してできた開口からユーザが手又は指を入れて、リタードローラを所定位置からリタードローラ軸に沿ってスライドさせる必要があり、当該リタードローラの交換作業が非常に繁雑となる。
【０００５】
そこで、本発明の目的は、ローラの交換を容易に行うことが可能な記録装置を提供することである。
【課題を解決するための手段】
【０００６】
本発明の記録装置は、記録媒体を搬送するローラと、前記ローラを当該ローラの軸方向に沿ってスライド可能に支持する軸部材と、前記ローラを前記軸部材から一端部を通して抜く方向に付勢する付勢手段と、前記付勢手段による付勢に抗して前記ローラをセット位置に位置付ける第１位置と、前記ローラの前記セット位置への位置付けを解除する第２位置との間において移動可能な位置付け部材とを備えている。そして、前記ローラは、前記位置付け部材が前記第１位置から前記第２位置に移動すると、前記付勢手段によって、前記セット位置から前記軸部材の前記一端部に向けてスライドする。
【０００７】
これによると、位置付け部材を第１位置から第２位置に移動させるだけで、ローラをセット位置からスライドさせることが可能となる。このため、ローラの交換を容易に行うことが可能となる。
【０００８】
本発明において、前記付勢手段は、前記ローラの前記抜く方向の逆を向いた側面と当接する当接部材と、前記当接部材に接続されて前記当接部材を介して前記ローラを前記抜く方向に付勢する弾性部材とを有していることが好ましい。これにより、付勢手段の構成が簡易になる。
【０００９】
また、本発明において、前記ローラは、前記軸部材が挿入可能な円筒状のスリーブと、前記スリーブの外周面を覆う被覆部材とを有しており、前記当接部材は、前記ローラが前記軸部材から抜かれた交換位置に配置されたときにだけ前記スリーブの前記軸方向の両端を支持可能な支持部を有するホルダであることが好ましい。これにより、ローラを交換位置に配置したときにホルダで支持することが可能となる。
【００１０】
また、本発明において、前記ホルダを支持する支持部材をさらに備えている。そして、前記ホルダと前記支持部材には、互いに連結されつつ前記ホルダが前記軸方向に沿ってスライド可能なスライド部が形成されていることが好ましい。これにより、ホルダと支持部材が連結されているのでホルダが無くなりにくくなる。
【００１１】
また、本発明において、前記位置付け部材には、前記位置付け部材を前記第２位置に移動したときに前記交換位置にある前記ローラを支持する前記ホルダと係合することによって、自身を前記第２位置に保持する係合部が形成されていることが好ましい。これにより、位置付け部材が第２位置において自身の係合部によって保持される。
【００１２】
また、本発明において、前記位置付け部材は、記録媒体の搬送をガイドするガイド部材であることが好ましい。これにより、ガイド部材で記録媒体の搬送をガイドすることが可能となる。
【００１３】
また、本発明において、前記軸部材の前記一端部には、先細り形状となるようにテーパが形成されていることが好ましい。これにより、ローラを軸部材の一端部を通してセット位置に移動させるときに、ローラを軸部材に挿入しやすくなる。
【００１４】
また、本発明において、前記ローラが、前記記録媒体を収容する収容部を備えた給紙カセットに設けられ、前記収容部から搬送されてきた前記記録媒体を前記収容部の方向に戻すリタードローラであることが好ましい。これにより、交換頻度の高いリタードローラを容易に交換することが可能となる。
【発明の効果】
【００１５】
本発明の記録装置によると、位置付け部材を第１位置から第２位置に移動させるだけで、ローラをセット位置からスライドさせることが可能となる。このため、ローラの交換を容易に行うことが可能となる。
【図面の簡単な説明】
【００１６】
【図１】本発明の一実施形態によるインクジェットプリンタの外観を示す斜視図である。
【図２】図１に示すインクジェットプリンタの内部構造を示す概略側面図である。
【図３】図１に示す給紙カセットの概略斜視図である。
【図４】（ａ）はリタードローラ及びトルクリミッタがセット位置に配置されシュートが位置付け位置に配置されたときの状況を示す斜視図であり、（ｂ）はリタードローラ及びトルクリミッタが交換位置に配置されシュートが解除位置に配置されたときの状況を示す斜視図である。
【図５】リタードローラ及びトルクリミッタがセット位置に配置されシュートが位置付け位置に配置されたときの状況を示す斜視図である。
【発明を実施するための形態】
【００１７】
以下、本発明の好適な実施の形態について、図面を参照しつつ説明する。
【００１８】
図１及び図２に示すように、本実施形態におけるインクジェットプリンタ１は、直方体形状の筐体１ａを有している。インクジェットプリンタ１は、図２に示すように、マゼンタ、シアン、イエロー、ブラックのインクをそれぞれ吐出する４つのインクジェットヘッド２を有するカラーインクジェットプリンタである。このプリンタ１には、図２中下方に給紙カセット１０が、図２中上方に排紙部１５がそれぞれ設けられており、これらの間に搬送方向Ａに沿って用紙Ｐを搬送する搬送ユニット５０が設けられている。さらに、プリンタ１には、これらの動作を制御する制御部１００が含まれている。
【００１９】
また、図１に示すように、筐体１ａの正面（図中紙面左方の手前側の面）には、開口３ａが形成されており、この開口３ａから給紙カセット１０が筐体１ａに装着される。本実施形態における給紙カセット１０は、筐体１ａに対して副走査方向に沿って着脱可能に構成されている。
【００２０】
４つのインクジェットヘッド２は、主走査方向に長尺な略直方体形状を有しており、副走査方向に沿って並べられている。すなわち、このインクジェットプリンタ１は、ライン式プリンタである。なお、本実施形態において、副走査方向とは用紙Ｐの搬送方向Ａと平行な方向であり、主走査方向とは副走査方向に直交する方向であって水平面に沿った方向である。
【００２１】
インクジェットヘッド２は、圧力室を含むインク流路が形成された流路ユニットと、圧力室のインクに圧力を与えるアクチュエータとが貼り合わされた積層体（ともに図示せず）を有しており、底面はインクを吐出する吐出面２ａとなっている。吐出面２ａには、インクを吐出する複数の吐出口（不図示）が形成されている。吐出面２ａは、主走査方向に関して、用紙Ｐよりも若干長く形成されており、用紙Ｐの全面に画像を形成する（縁なし印刷する）ことが可能となっている。
【００２２】
給紙カセット１０は、図２及び図３に示すように、上方に向かって開口した凹部（収容部）１１が形成されたフレーム１４を有しており、当該凹部１１内に積層した複数の用紙Ｐを収容可能になっている。また、給紙カセット１０は、図２に示すように、開口３ａから筐体１ａに装着されたときに、上下方向に関して搬送ユニット５０と重なる位置に配置される。
【００２３】
また、筐体１ａ内には、給紙ローラ１２と、送りローラ１３と、これら給紙ローラ１２及び送りローラ１３を回転させる駆動モータ（不図示）とが設けられている。給紙ローラ１２は、最も上方に位置する用紙Ｐと回転しながら接触することで送りローラ１３に向けて用紙Ｐを送り出す。送りローラ１３は、後述のリタードローラ３１との間において給紙ローラ１２によって送り出された用紙Ｐを挟みつつその用紙Ｐと回転しながら接触することで給紙カセット１０から用紙Ｐを送り出す。なお、駆動モータは制御部１００によって制御される。給紙カセット１０の図２中左端部側には、給紙カセット１０から搬送ユニット５０に向かって湾曲しながら延在する搬送ガイド１７が設けられている。
【００２４】
この構成において、制御部１００の制御により、給紙ローラ１２及び送りローラ１３が図２中時計回りに回転することによって、給紙ローラ１２及び送りローラ１３と接触した用紙Ｐが搬送ガイド１７を通って搬送ユニット５０に送り出される。
【００２５】
また、図２に示すように、給紙カセット１０から用紙Ｐを送り出す方向Ｂ（搬送方向Ａとは逆方向）に関して、凹部１１の前端部（図中左側端部）には用紙Ｐを搬送ガイド１７に案内する傾斜面１１ａが形成されている。また、フレーム１４の送り出す方向Ｂの前端部には、リタードローラ３１及びシュート（ガイド部材）３２が設けられている。シュート３２は、傾斜面１１ａに形成された開口１１ｂの一部を塞ぐように配置され、用紙Ｐの搬送をガイドする。そして、リタードローラ３１は、開口１１ｂであってシュート３２と傾斜面１１ａとの間から表面が突出するように配置されている。つまり、リタードローラ３１は、送りローラ１３との間において傾斜面１１ａに沿って送り出されてきた用紙Ｐを挟持可能に配置されている。なお、図４及び図５は、給紙カセット１０の前端部を、取手１０ａが設けられた化粧板１０ｂ（図１、図２参照）を取り外した状態で当該前端部側から見たときの斜視図である。
【００２６】
シュート３２は、図４に示すように、開口１１ｂの下端近傍を支点としてフレーム１４に揺動可能に支持されている。具体的には、シュート３２は、表面３２ａが傾斜面１１ａと同じ平面内に位置する位置であってリタードローラ３１を後述のセット位置に位置付ける位置付け位置（図４（ａ）に示す位置：第１位置）と、表面３２ａが傾斜面１１ａと同じ平面内に位置せずリタードローラ３１のセット位置での位置付けを解除するとともにリタードローラ３１がシュート３２の位置付け位置まで移動可能な解除位置（図４（ｂ）に示す位置：第２位置）との間において移動可能になっている。なお、シュート３２が位置付け位置に配置されているときは、傾斜面１１ａと表面３２ａとの間に段差が無くなり平らになるため、用紙Ｐの搬送を効果的にガイドすることができる。また、シュート３２は、ねじりコイルバネ（不図示）によって位置付け位置に配置されるように常に付勢されている。このため、シュート３２は位置付け位置においてガタなく配置される。
【００２７】
また、フレーム１４の前端部には、図４及び図５に示すように、リタードローラ３１をその軸方向（主走査方向と平行な方向）に沿ってスライド可能に支持する軸部材３８と、リタードローラ３１を軸部材３８から抜く方向Ｃ（リタードローラ３１の軸方向に平行）に付勢する付勢機構７０と、軸部材３８に挿入されリタードローラ３１の一端部に連結されたトルクリミッタ３７とが設けられている。
【００２８】
リタードローラ３１は、円筒状のスリーブ３３と、スリーブ３３の外周面を覆う被覆部材３４とを有している。被覆部材３４は、可撓性を有する樹脂やゴムなどの弾性材料から構成されている。また、被覆部材３４は、スリーブ３３の軸方向の両端部を除く外周面全体を覆っている。
【００２９】
軸部材３８は、抜く方向Ｃに延在した円柱状部材であり、その直径がスリーブ３３の内径より若干小さくなっている。つまり、軸部材３８は、リタードローラ３１を回転可能に支持する。また、軸部材３８の先端には、図４（ｂ）に示すように、テーパ３８ａが形成されており、当該先端が先細り形状となっている。これにより、リタードローラ３１及びトルクリミッタ３７を交換位置からセット位置に移動させるときに、これらを軸部材３８に挿入しやすくなる。また、軸部材３８には、径方向に突出した突起３８ｂが形成されている。軸部材３８は、給紙ローラ１２及び送りローラ１３を回転させる上述の駆動モータ及びこの駆動モータからの回転力を軸部材３８に伝達する伝達機構（共に不図示）を有する駆動手段に含まれている。なお、伝達機構は、筐体１ａ及び給紙カセット１０の両方に設けられてなり、給紙カセット１０を筐体１ａに装着したときに互いに接続され、駆動モータからの回転力が軸部材３８に伝達され、正回転する。
【００３０】
トルクリミッタ３７は、円筒形状を有しており、他端部（図４中右側端部）がスリーブ３３の一端部と連結可能に構成されている。また、トルクリミッタ３７の一端部（図４中左側端部）には、トルクリミッタ３７がセット位置に配置されたときに、突起３８ｂと係合する溝３７ａが形成されている。これにより、正回転する軸部材３８の回転力がトルクリミッタ３７に伝達し、同方向の回転力がトルクリミッタ３７からリタードローラ３１に伝達する。なお、このときのリタードローラ３１の回転方向は送りローラ１３の回転方向と同方向であり、送りローラ１３による用紙Ｐの搬送方向とは逆方向に搬送力が働く。
【００３１】
また、トルクリミッタ３７は、リタードローラ３１に逆回転方向の所定の回転力（送りローラ１３の用紙Ｐに対する搬送力）が加えられたときに、リタードローラ３１が軸部材３８に対して逆回転することが可能な構成となっている。つまり、トルクリミッタ３７は、リタードローラ３１と送りローラ１３との間に用紙Ｐが重送されてきたときに、リタードローラ３１が送りローラ１３と同方向に回転するように、軸部材３８からの回転力をリタードローラ３１に伝達する。こうして、重送されてきた用紙Ｐのうち、送りローラ１３とは接触せずリタードローラ３１と接触する用紙Ｐが凹部１１内に戻される。そして、送りローラ１３とリタードローラ３１との間に１枚の用紙Ｐが送り出されてきたとき、及び、送りローラ１３とリタードローラ３１とが接触しているときは、リタードローラ３１に所定の回転力が加わるので、トルクリミッタ３７内に滑りが生じてリタードローラ３１が送りローラ１３による用紙Ｐの搬送を妨げないように従動する。なお、軸部材３８は、給紙ローラ１２及び送りローラ１３の駆動と同様に駆動され、リタードローラ３１は、用紙Ｐが重送されたときだけ送りローラ１３と同方向に回転して、重送した用紙Ｐを凹部１１に戻す。変形例として、軸部材３８を給紙及び送りローラ１２，１３とは別に駆動してもよい。
【００３２】
付勢機構７０は、リタードローラ３１及びトルクリミッタ３７を保持するホルダ（当接部材）７１と、ホルダ７１を抜く方向Ｃに付勢するコイルバネ（弾性部材）７２とを有している。なお、コイルバネ７２以外の弾性部材を採用してもよい。また、フレーム１４の前端部にはホルダ７１を支持するレール状の支持部材８１が設けられている。支持部材８１は、抜き方向Ｃに平行な方向に延在しており、Ｉ型断面を有している。
【００３３】
ホルダ７１は、支持部材８１に連結された本体７３と、抜き方向Ｃに沿って互いに離隔すると共に本体７３からトルクリミッタ３７及びリタードローラ３１に向かって突出した支持部７４〜７６とを有している。本体７３と支持部材８１には、互いに連結されつつホルダ７１が抜く方向Ｃに平行にスライド可能なスライド部８２が形成されている。スライド部８２は、支持部材８１のＩ型断面の上部と、本体７３に形成されたコの字断面形状の二対の把持部７３ａ，７３ｂとで構成されている。これら把持部７３ａ，７３ｂは、支持部材８１の上部を延在方向と直交する方向（副走査方向）の両側から把持する。なお、スライド部８２は、ホルダ７１と支持部材８１とが抜く方向Ｃに沿って互いにスライド可能であれば、どのような構成であってもよい。また、本体部７３の凹部１１側の側面には、図４（ｂ）に示すように、突起７３ｃが形成されている。突起７３ｃは、抜く方向Ｃに沿って延在しており、本体部７３の抜く方向Ｃに関する長さと同じ長さを有している。
【００３４】
また、支持部７４は、図４に示すように、その上部にトルクリミッタ３７の一端部を支持する湾曲部７４ａを有しており、当該上部の湾曲部７４ａ近傍部分が抜く方向Ｃに沿ってトルクリミッタ３７と重なる位置に配置されている。支持部７５の上部には、図４及び図５に示すように、リタードローラ３１の一端部であってトルクリミッタ３７とリタードローラ３１との連結部を支持する湾曲部７５ａが形成されている。また、支持部７５の上部であって湾曲部７５ａ近傍部分は、抜く方向Ｃに沿ってリタードローラ３１と重なる位置に配置されている。支持部７６の上部には、リタードローラ３１（スリーブ３３）の他端部を支持する湾曲部７６ａが形成されている。なお、支持部７６の上部の抜く方向Ｃを向く側面には、スリーブ３３の他端を保護する保護部７６ｂが形成されている。このため、支持部７６の保護部７６ｂと後述の突起３２ｃとの当接が解除されたときに、支持部７４の上部がトルクリミッタ３７の図中左方側面を、支持部７５の上部がリタードローラ３１の図中左方側面を、抜く方向Ｃに付勢する。
【００３５】
なお、本実施形態においては、支持部７４の上部だけがトルクリミッタ３７の左方側面を抜く方向Ｃに付勢してもよい。これは抜く方向Ｃに関してリタードローラ３１よりも上流にトルクリミッタ３７が位置するからである。しかしながら、リタードローラ３１だけを交換する場合などは、支持部７５の上部だけがリタードローラ３１の左方側面を抜く方向Ｃに付勢すればよい。また、支持部は、左方側面だけでなく、抜く方向Ｃの逆を向いた側面であればどこを抜く方向Ｃに付勢してもよい。こうすれば、支持部の側面への当接によって少なくともリタードローラ３１をセット位置から交換位置に移動させることができる。
【００３６】
ここで、セット位置とは、図４（ａ）及び図５に示す位置であって、互いに連結されたリタードローラ３１及びトルクリミッタ３７が一端部から軸部材３８に挿入されてリタードローラ３１の全体が軸部材３８に支持され、トルクリミッタ３７の溝３７ａと軸部材３８の突起３８ｂとが係合する位置である。つまり、この位置に配置されたリタードローラ３１は、軸部材３８及びトルクリミッタ３７からの回転力により、用紙Ｐの重送を防ぐことが可能になると共に、送りローラ１３とによって用紙Ｐを搬送可能になる。一方、交換位置とは、図４（ｂ）に示す位置であって、互いに連結されたリタードローラ３１及びトルクリミッタ３７が軸部材３８から完全に抜けた位置であり、リタードローラ３１及びトルクリミッタ３７を交換することが可能な位置である。
【００３７】
また、これら支持部７４〜７６は、トルクリミッタ３７及びリタードローラ３１が交換位置に配置されたときだけ、トルクリミッタ３７及びリタードローラ３１を支持している。リタードローラ３１及びトルクリミッタ３７は、交換位置にあるときは軸部材３８によって支持されておらず、これら支持部材７４〜７６（湾曲部７４ａ〜７６ａ）によって支持される。そして、ホルダ７１とともにトルクリミッタ３７及びリタードローラ３１が交換位置からセット位置に移動すると、トルクリミッタ３７及びリタードローラ３１が軸部材３８によって支持されて、これらトルクリミッタ３７及びリタードローラ３１が湾曲部７４ａ〜７６ａから離隔する。なお、保護部７６ｂは、セット位置において、トルクリミッタ３７及びリタードローラ３１の抜く方向Ｃの移動を規制している。また、支持部７６には、一端がフレーム１４に固定されたコイルバネ７２の他端が固定されており、ホルダ７１が常にセット位置から交換位置に向けて（抜く方向Ｃに）付勢されている。このため、セット位置において、保護部７６ｂと位置付け位置にあるシュート３２の後述の突起３２ｃとが当接する。
【００３８】
また、シュート３２の裏面３２ｂには、図４（ｂ）及び図５に示すように、突起３２ｃが形成されている。突起３２ｃは、トルクリミッタ３７及びリタードローラ３１とともにホルダ７１がセット位置に配置されているときにシュート３２が位置付け位置に配置された場合、保護部７６ｂと当接可能に裏面３２ｂから突出している。このため、ホルダ７１が抜く方向Ｃに付勢されていても、シュート３２によってトルクリミッタ３７、リタードローラ３１及びホルダ７１がセット位置に位置付けられる。なお、突起３２ｃが保護部７６ｂと当接しない位置、すなわち図４（ｂ）に示すようにシュート３２を解除位置に移動すると、コイルバネ７２の付勢力によって、ホルダ７１とともにトルクリミッタ３７及びリタードローラ３１が交換位置に自動的に移動する。
【００３９】
図５に示すように、シュート３２の裏面３２ｂには、抜く方向Ｃに沿って互いに離隔した３つの係合部３２ｄが形成されている。抜く方向Ｃに沿って最も上流にある係合部３２ｄは、突起３２ｃに一体的に形成されている。これら係合部３２ｄは、シュート３２が解除位置に配置されているときであってホルダ７１が交換位置に配置されているときに、突起７３ｃと互いに対向するとともに、当該突起７３ｃと当接することによってシュート３２自身を解除位置に保持する。これにより、シュート３２が解除位置において自身の係合部３２ｄによって保持される。
【００４０】
ここで、リタードローラ３１及びトルクリミッタ３７の交換方法について説明する。リタードローラ３１及びトルクリミッタ３７を交換するときは、給紙カセット１０全体を筐体１ａから取り外す、もしくはシュート３２及びリタードローラ３１などが外部に露出される位置まで給紙カセット１０を筐体１ａから抜き出す。通常、図４（ａ）及び図５に示すように、シュート３２によってリタードローラ３１、トルクリミッタ３７及びホルダ７１がセット位置に位置付けられている。リタードローラ３１やトルクリミッタ３７を交換する場合は、ユーザがねじりコイルバネによって付勢されて位置付け位置に配置されているシュート３２を図４（ｂ）に示す解除位置に移動させる。すると、突起３２ｃと保護部７６ｂとの当接が解除され、ホルダ７１がコイルバネ７２の抜く方向Ｃの付勢力によってセット位置から交換位置に移動する。このとき、支持部７４，７５の上部は、トルクリミッタ３７及びリタードローラ３１の側面と当接しているので、トルクリミッタ３７及びリタードローラ３１がホルダ７１とともに交換位置に移動する。
【００４１】
ホルダ７１が交換位置に位置するときには、突起７３ｃと係合部３２ｄのそれぞれが当接し、シュート３２自身が解除位置に保持される。また、交換位置に移動してきたトルクリミッタ３７及びリタードローラ３１は、共に軸部材３８から完全に抜けており、ホルダ７１にそれぞれ支持されている。このため、ユーザは、ホルダ７１に支持されたトルクリミッタ３７及びリタードローラ３１の少なくともいずれか一方を新しいものと交換し、上述とは逆の手順でトルクリミッタ３７及びリタードローラ３１をセットする。
【００４２】
すなわち、ユーザが、互いに連結されたトルクリミッタ３７及びリタードローラ３１を支持するホルダ７１を抜く方向Ｃとは逆方向に移動させる（トルクリミッタ３７及びリタードローラ３１が一端部から軸部材３８に挿入されるように、ホルダ７１を移動させる）。そして、ホルダ７１とともにトルクリミッタ３７及びリタードローラ３１がセット位置に達すると、係合部３２ｄと突起７３ｃとの係合が解除される。係合部３２ｄと突起７３ｃの係合が解除されると、シュート３２がねじりコイルバネの付勢によって解除位置から位置付け位置に自動的に移動する。これによって、シュート３２が位置付け位置においてガタなく配置される。こうして、突起３２ｃの抜く方向Ｃとは逆方向を向く側面と、保護部７６ｂの抜く方向Ｃを向く側面とが当接し、ホルダ７１とともにトルクリミッタ３７及びリタードローラ３１がセット位置に位置付けられる。そして、トルクリミッタ３７及びリタードローラ３１の少なくともいずれか一方が新しいものと交換された給紙カセット１０を、筐体１ａに装着することで、給紙カセット１０に収容された用紙Ｐを搬送ユニット５０に重送させることなく搬送可能になる。
【００４３】
図２に戻って、搬送ユニット５０は、４つのインクジェットヘッド２と対向する位置に配置されており、２つのベルトローラ５１，５２と、両ローラ５１，５２間に架け渡されるように巻回されたエンドレスの搬送ベルト５３と、制御部１００に制御されベルトローラ５２を回転させる搬送モータ（不図示）と、吸着装置６０とを有している。２つのベルトローラ５１，５２は、搬送方向Ａに沿って並設されている。
【００４４】
搬送ベルト５３は、例えば、ポリイミド、フッ素樹脂からなり、１０８〜１０１４Ωｃｍ程度の体積抵抗率及び可撓性を有しているが、同様の体積抵抗率及び可撓性を有することが可能であれば、どのような材質であってもよい。
【００４５】
吸着装置６０は、絶縁材料から構成された板状のベース部材６１と、上面６１ａに接着された２つの電極６２，６３と、これら電極６２，６３全体を覆うように上面６１ａに接着された保護フィルム６４とを含んでいる。これら電極６２，６３は、搬送方向Ａに沿って延在する複数の長尺部を有し、これら長尺部が副走査方向に交互に配置された櫛歯形状となっている。また、電極６２，６３は図示しない電源に接続されている。なお、電源は、制御部により制御される。
【００４６】
保護フィルム６４は、例えば、ポリイミド、フッ素樹脂からなり、１０８〜１０１４Ωｃｍ程度の体積抵抗率を有しているが、同様の体積抵抗率を有することが可能であれば、どのような材質であってもよい。なお、吸着装置６０は、保護フィルム６４が搬送ベルト５３の上側ループの内周面と接触する位置に配置されており、搬送ベルト５３の内周側からこれを支持している。これにより、搬送ベルト５３の上側ループの搬送面５４とインクジェットヘッド２の吐出面２ａとが対向しつつ平行になり、且つ、吐出面２ａと搬送ベルト５３の搬送面５４との間に僅かな隙間が形成されている。当該隙間は、用紙搬送経路の一部を構成している。
【００４７】
吸着装置６０の上流端部であって、電極６２，６３の長尺部と対向する位置には、ニップローラ４が配置されている。ニップローラ４は、給紙カセット１０から送り出された用紙Ｐを搬送面５４に押さえ付ける。
【００４８】
この構成において、制御部１００の制御により、ベルトローラ５２を図２中時計回りに回転させることによって、搬送ベルト５３が回転する。このとき、搬送ベルト５３の回転に伴ってベルトローラ５１及びニップローラ４も回転する。また、このとき、制御部１００の制御により、２つの電極６２，６３に互いに異なる電位（電極６２は正又は負の電位、電極６３はグランド電位）が印加される。このように２つの電極６２，６３に電位が印加されると、電流が、電極６２から保護フィルム６４→搬送ベルト５３→用紙Ｐに至り、用紙Ｐから搬送ベルト５３→保護フィルム６４を通って電極６３に流れる。そして、搬送ベルト５３の用紙Ｐと対向する部分に正又は負の電荷が生じ、用紙Ｐの搬送ベルト５３と対向する面に先の電荷とは極性の異なる電荷が誘起され、これらの電荷同士が引き合うことで用紙Ｐを搬送ベルト５３に吸着させる吸着力が生じる。
【００４９】
こうして、給紙カセット１０から送り出された用紙Ｐが、吸着装置６０による吸着力によって搬送面５４に吸着されながら搬送方向Ａに搬送される。さらにこのとき、搬送ベルト５３の搬送面５４上に吸着されつつ搬送されてきた用紙Ｐが４つのインクジェットヘッド２のすぐ下方を順に通過する際に、制御部１００が各インクジェットヘッド２を制御し、用紙Ｐに向けて各色のインクを吐出する。こうして、用紙Ｐに所望のカラー画像が形成される。
【００５０】
搬送ユニット５０の搬送方向Ａのすぐ下流側には、剥離部材９が設けられている。剥離部材９は、その先端が用紙Ｐと搬送ベルト５３との間に入り込むことによって、用紙Ｐを搬送面５４から剥離する。なお、用紙Ｐの前端が剥離部材９に到達するころには、搬送面５４と用紙Ｐの前端との間の吸着力が弱まっているので、用紙Ｐが剥離部材９によって搬送面５４から剥離される。
【００５１】
搬送ユニット５０と排紙部１５との搬送経路に沿う間には、４つの送りローラ２１ａ，２１ｂ，２２ａ，２２ｂと、送りローラ２１ａ，２１ｂと送りローラ２２ａ，２２ｂとの間に配置された搬送ガイド１８とが配置されている。送りローラ２１ｂ，２２ｂは、制御部１００に制御される送りモータ（不図示）によって回転駆動される。この構成において、制御部１００の制御により、送りローラ２１ｂ，２２ｂが回転され、搬送ユニット５０から排出された用紙Ｐが送りローラ２１ａ，２１ｂに挟持されながら搬送ガイド１８を通されて図２中上方に送られる。そして、送りローラ２２ａ，２２ｂに挟持されながら排紙部１５に送られる。なお、送りローラ２１ａ，２２ａは、従動ローラであり用紙搬送に伴って回転する。
【００５２】
以上のように、本実施形態のインクジェットプリンタ１によると、リタードローラ３１を交換する際に、シュート３２を位置付け位置から解除位置に移動させるだけで、ホルダ７１とともにリタードローラ３１及びトルクリミッタ３７がセット位置から交換位置に移動させることができる。このため、リタードローラ３１などの交換を容易に行うことが可能となる。さらに、交換したリタードローラ３１などを支持するホルダ７１を交換位置からセット位置に移動させるだけ、シュート３２が自動的に解除位置から位置付け位置に移動するので、リタードローラ３１などの交換作業が全体的に簡単に行うことができる。なお、給紙カセット１０のリタードローラ３１が交換可能であるため、比較的、交換頻度の高いリタードローラ３１を容易に交換することが可能となる。
【００５３】
また、付勢機構７０が、ホルダ７１と、コイルバネ７２とから構成されており、その構成が簡易となる。また、ホルダ７１には、３つの支持部７４〜７６が形成されており、リタードローラ３１及びトルクリミッタ３７を交換位置に配置したときに支持することが可能となる。また、ホルダ７１と支持部材８１には、互いに連結されつつホルダ７１が抜く方向Ｃに平行にスライド可能なスライド部８２が形成されている。これにより、ホルダ７１が無くなりにくくなる。
【００５４】
本実施形態においては、シュート３２を位置付け位置から解除位置に移動させると、トルクリミッタ３７及びリタードローラ３１がホルダ７１とともに交換位置に移動するが、リタードローラ３１が軸部材３８から完全に及び部分的に抜けていなくてもよい。この場合においても、トルクリミッタ３７及びリタードローラ３１がホルダ７１とともにセット位置から交換位置に向かって移動しているので、ユーザはホルダ７１とともにトルクリミッタ３７及びリタードローラ３１を容易に交換位置に移動させることができる。こうして、上述と同様に、リタードローラ３１などの交換を容易に行うことが可能となる。
【００５５】
以上、本発明の好適な実施の形態について説明したが、本発明は上述の実施の形態に限られるものではなく、特許請求の範囲に記載した限りにおいて様々な変更が可能なものである。例えば、本実施形態においては、リタードローラ３１及びトルクリミッタ３７の少なくともいずれか一方を交換可能な構成であるが、リタードローラ３１だけを交換可能であってもよいし、筐体１ａ内のローラ（搬送又は送りローラ２１ａ，２１ｂ，２２ａ，２２ｂなど）の交換のために、本発明の構成を採用してもよい。また、ホルダ７１は、交換位置に移動してきたリタードローラ３１などを支持しなくてもよい。また、ホルダ７１に代えて、支持部材８１に抜く方向Ｃに沿ってスライド可能に支持され、少なくともリタードローラ３１の抜く方向Ｃの逆を向く側面と当接可能な当接部材を採用してもよい。この場合、当接部材と弾性部材としてのコイルバネ７２とを連結しておけばよい。
【００５６】
また、リタードローラ３１が、スリーブ３３と、被覆部材３４との別部材に分かれておらず、１つの又は３以上の部材で構成されていてもよい。また、ホルダ７１と支持部材８１とにスライド部８２が形成されていなくてもよいし、支持部材８１を設けていなくてもよい。また、シュート３２に代えて、例えば、リタードローラ３１をセット位置に位置付ける位置付け位置と、リタードローラ３１のセット位置での位置付けを解除するとともにリタードローラ３１が交換位置まで移動可能な解除位置との間において移動可能な突起３２ｃからなる位置付け部材を採用してもよい。また、係合部３２ｄが設けられていなくてもよい。また、軸部材３８の先端にテーパ３８ａが形成されていなくてもよい。
【００５７】
本発明は、ライン式・シリアル式のいずれにも適用可能であり、また、プリンタに限定されず、ファクシミリやコピー機等にも適用可能であり、さらに、インク以外の液体を吐出させることで記録を行う記録装置にも適用可能である。本発明は、インクジェット式に限定されず、例えばレーザー式、サーマル式等の記録装置にも適用可能である。記録媒体は、用紙Ｐに限定されず、記録可能な様々な媒体であってよい。
【符号の説明】
【００５８】
１  インクジェットプリンタ（記録装置）
１０  給紙カセット
１１  凹部（収容部）
３１  リタードローラ
３２  シュート（位置付け部材：ガイド部材）
３２ｃ  突起
３２ｄ  係合部
３３  スリーブ
３４  被覆部材
３８  軸部材
３８ａ  テーパ
７０  付勢機構（付勢手段）
７１  ホルダ（当接部材）
７２  コイルバネ（弾性部材）
７４〜７６  支持部
８１  支持部材
８２  スライド部
【図１】
2012071918.tif 000003
【図２】
2012071918.tif 000004
【図３】
2012071918.tif 000005
【図４】
2012071918.tif 000006
【図５】
2012071918.tif 000007